(57)【要約】【課題】メモリ機能部を有するコネクタが挿入接続されるアダプタに関するもので、メモリ機能付きコネクタのアダプタへの接続状況の検出を迅速に行えるようにするものである。【解決手段】外部から非接触で記憶情報の書き込みと読み出しができるメモリ機能部６を有するコネクタ４が挿入接続されるアダプタ２であって、アダプタ２に記コネクタ４が挿入接続されたとき、コネクタ４のメモリ機能部６の記憶情報を非接触で読み出すアンテナ７と、アダプタ２にコネクタ４が挿入接続されるとき、コネクタ４の挿入動作によって動作するスイッチ１１とがアダプタ２の近傍又はアダプタ２に設けられたものである。【選択図】      図１
2004165088.tif 000002
【特許請求の範囲】
【請求項１】
外部から非接触で記憶情報の書き込みと読み出しができるメモリ機能部を有するコネクタが挿入接続されるアダプタであって、
該アダプタに前記コネクタが挿入接続されたとき、該コネクタの前記メモリ機能部の記憶情報を非接触で読み出すアンテナと、
該アダプタに前記コネクタが挿入接続されるとき、該コネクタの挿入動作によって動作するスイッチとが前記アダプタの近傍に設けられたメモリ機能付きコネクタ用アダプタ。
【請求項２】
前記スイッチが前記アダプタに設けられた請求項１に記載のメモリ機能付きコネクタ用アダプタ。
【発明の詳細な説明】
【０００１】
【発明の属する技術分野】
本発明は、外部から非接触で記憶情報の書き込みと読み出しができるメモリ機能部を有するコネクタが挿入接続されるアダプタに関するものである。
【０００２】
【従来の技術】
従来の例えば光コネクタには、当該光コネクタの管理のための管理情報として、任意の文字又はバーコードなどを記録したラベル、又はテープが貼り付けられている。また、場合によっては個別管理ではなく、ロットや製造年月などのグループ単位の管理情報が付加されているものもある。
【０００３】
この従来の光コネクタは、当該光コネクタの製造工程や、取付け配線作業の管理をする場合、一般的に計算機などを利用して管理が行われているが、管理情報が文字であった場合、取扱い担当者が認識して計算機に入力処理を行うことから、誤認識や入力間違え等のミスが発生するおそれがある。
また、管理情報がバーコードで記録されている場合、誤認識や入力間違えは格段に少なくなるが、工程の前又は後に必ず読み込む必要があり、仮に読み込みを忘れて工程を行った場合などは、管理が不可能になってしまう。
【０００４】
さらに、管理情報を印字した媒体がラベル又はテープなどの場合、担当者が認識するには、その媒体はある程度の大きさを有することが必要であり、実際の利用環境で配線盤に集約された際に、ラベル自体が取扱いの邪魔となり、取扱いの利便性を阻害することとなる。
また、媒体の材質が紙などの場合、取り扱い中に破損してしまうことがあり、そのときには認識は不可能となり管理することが出来ないなどの問題がある。
【０００５】
そのため本願出願人の一員である東京通信機工業株式会社は、特願２００２−００５６４２号として「メモリ機能付き光コネクタ」（先願発明）を出願している。このメモリ機能付き光コネクタは、各光コネクタ個別の識別情報を記録するメモリ機能を持つことにより、工程ごとの個別管理を容易かつ確実に行うことを可能とし、これにより生産性と品質の向上を図ることができ、光コネクタの取扱いの利便性が得られるようにしたものである。
【０００６】
即ち、前述の先願発明のメモリ機能付き光コネクタは、図５（ａ）（ｂ）にその一例を模式図として示してある。図５（ａ）はアダプタに光コネクタが挿入接続される前の状態を示し、図５（ｂ）はアダプタに光コネクタが挿入接続された状態を示している。図５に示すように、プリント回路基板のような固定部材１に一方の光接続部が収容された光コネクタ用のアダプタ２が支持部材３により固定されている。このアダプタ２に挿入接続される光コネクタ４には、光ファイバケーブル５の他方の光接続部が収容されていると共に、メモリ機能部６が設けられている。このメモリ機能部６は、例えば、ＲＦ（Ｒａｄｉｏ  Ｆｒｅｑｕｅｎｃｙ  ）ＩＤシステムとして製品化されＩＣカードやＩＣ定期券に使用されているような、電磁誘導式による非接触型集積回路から構成されている。
【０００７】
この光コネクタ４のメモリ機能部６の記憶情報の読み出し又は書き込みを行うため、光コネクタ４が挿入接続される固定部材１に設けられたアダプタ２の近傍にはアンテナ７が設けられ、この読み出し又は書き込みを制御する制御部８がアンテナ７に接続されている。制御部８はアンテナ７を介して光コネクタ４のメモリ機能部６と通信を行い、データの読取り及び書き込みを行うことで、その機能を有するようにしたものである。なお、このメモリ機能付き光コネクタ４は、そのメモリ機能部に当該光コネクタ４自体の固有の識別情報（固有ＩＤ）が予め記憶されている。
【０００８】
従って、先願発明のメモリ機能付き光コネクタ４のメモリ機能部６に記憶された前述のロット番号や製造年月，或いは作業工程などの管理情報と固有ＩＤを、アダプタ２のアンテナ７を介して制御部８で読取り、必要に応じて計算機９に入力しておくことにより、各工程の一元化管理を容易にかつ間違いなく行うことができるものである。
【０００９】
【発明が解決しようとする課題】
前述した先願発明のメモリ機能付き光コネクタを、例えば電話交換設備の交換接続のような多数のアダプタが配列された接続架に挿入接続して使用する場合、多数配列のアダプタの何処のアダプタにどの光コネクタが接続されているか、また何処のアダプタが空いているかなどのチェックを必要とする場合がある。
このアダプタ側で光コネクタ４の接続状況をチェックする際、当該アダプタに光コネクタ４が接続されている場合は、アンテナ７でメモリ機能部６の情報を読取るときに接続確認が直ちに行うことができるが、アダプタ２に光コネクタ４が接続されていない場合は、接続されていないことをアンテナ７で確認するため、この非接続の判断処理に若干ではあるが時間を要するという問題がある。
また、コネクタ４がアダプタ２に正常に挿入されていない（半差し状態）場合は、通信異常・時時断などの不具合が発生する。
【００１０】
即ち、アダプタに先願発明のメモリ機能付き光コネクタが挿入接続されている場合は、接続状況の読取りが直ちに行われるが、アダプタに当該光コネクタが挿入接続されていない場合は、接続状況の読取りに若干の時間（０．２５秒）を要するため、アダプタの配置数が多く、例えば１，０００個程度あって、アダプタの半数が空き状態にある場合は、その接続状況の読取りに１２５秒程度の時間を要することになり、管理作業に影響を及ぼすことになる。特に、緊急を要する場合には管理業務に支障を来す可能性もある。
【００１１】
本発明は、前述したメモリ機能付きコネクタのアダプタへの接続状況の有無や半差し状態を、迅速に検出できるようにしたものである。
なお、従来の技術として説明した例では、メモリ機能付き光コネクタとそのアダプタについて説明したが、銅線等のメタルケーブルを用いたメモリ付コネクタについても、本発明のアダプタを適用することができると共に、多芯用のコネクタに対しても本発明のアダプタを適用することができる。
【００１２】
【課題を解決するための手段】
本発明によるメモリ機能付きコネクタ用アダプタは、外部から非接触で記憶情報の書き込みと読み出しができるメモリ機能部を有するコネクタが挿入接続されるアダプタであって、
該アダプタに前記コネクタが挿入接続されたとき、該コネクタの前記メモリ機能部の記憶情報を非接触で読み出すアンテナと、該アダプタに前記コネクタが挿入接続されるとき、該コネクタの挿入動作によって動作するスイッチとが前記アダプタ又はその近傍に設けられたものである。
【００１３】
【発明の実施の形態】
本発明によるメモリ機能付きコネクタ用アダプタの一実施例を、このアダプタに挿入されるメモリ機能付きコネクタと共に、図１（ａ）（ｂ）に基づき説明する。図１（ａ）はアダプタ２にコネクタ４が挿入接続される前の状態を示し、図１（ｂ）はアダプタ２にコネクタ４が挿入接続された状態を示している。この実施例では、アダプタ２の下部にノンロック式の検出スイッチ１１が設けられていて、アダプタ２にコネクタ４が挿入される際、コネクタ４の下部に形成された押圧部１３により検出スイッチ１１の作動杆１２を押込んでオン作動させるようにしているものであり、コネクタ４のメモリ機能部６が固定部材１に設けられたアンテナ７の上に位置したときに、検出スイッチ１１は確実にオン動作するように設けられている。
【００１４】
いずれかのアダプタ２へのコネクタ４の挿入接続により、今までオフ状態の検出スイッチ１１がオン状態となり、制御部８では当該アダプタ２の空き状態が接続状態に変更され、この状態が記憶される。
従って、あるアダプタ２にコネクタ４が挿入接続されているか否かが常に制御部８で検出されているため、従来のようにアダプタ２側に設けられているアンテナ７により、コネクタ４に設けられたメモリ機能部６がアンテナ７の上に位置しているか否かを検出する速度よりも、極めて短時間に検出することができる。特に、アンテナ７の上にメモリ機能部６がないことを確認する判断時間が大幅に短縮される。なお、検出スイッチ１１としては、マイクロスイッチ，リミットスイッチ，近接スイッチ，光電スイッチなどを使用することができる。
【００１５】
図２は、光コネクタ４が挿入接続されるアダプタ２が、接続架１４に数１０個から数１０００個の多数個が配列される状態の一部分を示すものであり、例えば通信回線の接続替えなどのように、必要に応じて特定のアダプタ２に特定の光コネクタ４が接続された状態の検出、或いは接続状態から空き状態への状態変更の検出を迅速・確実に行うことができる。
また、アダプタ２に光コネクタ４が完全に挿入されていない半差しの場合は、コネクタのメモリ機能部６がアンテナ７のほぼ上面に位置して光コネクタ４の存在を検出したとしても、検出スイッチ１１が動作しないため、半差し状態にあることを検出することができるものである。
なお、図１及び図２の実施例では、検出スイッチ１１がアダプタ２の下部に設けてある例を示してあるが、検出スイッチ１１をアダプタ２の上部又は側面部に設けるようにしてもよいし、或いは固定部材１に設けるようにしてもよい。
【００１６】
次に本発明の他の実施例として、メタルケーブルを用いたメモリ機能付きの多芯コネクタが挿入接続されるアダプタを、図３に示した実施例により説明する。
図３（ａ）は固定部材２１に固定されたアダプタ２２に多芯コネクタ２３が挿入接続される前の状態を示す斜視図、図３（ｂ）は図３（ａ）と同様な状態の側面図、図３（ｃ）はアダプタ２２に多芯コネクタ２３が挿入接続された状態の側面図である。なお、多芯コネクタ２３には多芯のメタルケーブル２４が接続され、下面には複数のコンタクト２５が設けられて、アダプタ２２に設けられている図示してないソケットに接続される。また、アダプタ２２の側面には非接触のメモリ機能部２６が設けられている。
【００１７】
アダプタ２２側面の近接部の固定部材２１には、アンテナ２７と検出スイッチ２８が設けられた仮想線で示した取付板２９が固定されている。なお、アンテナ２７と検出スイッチ２８は、図３には示していないが、図１に示したと同様な制御部やパソコン等に接続されている。
この実施例ではアダプタ２２に多芯コネクタ２３を挿入する際、多芯コネクタ２３の側面部３０により検出スイッチ２８のレバー３１を作動させ、検出スイッチ２８をオン動作させて挿入接続を検出する。即ち、アダプタ２２に多芯コネクタ２３が正しく挿入されたとき、多芯コネクタ２３のメモリ機能部２６が取付板２９に固定されているアンテナ２７に対面するように配置され、かつ検出スイッチ２８がオン状態となる。
【００１８】
図４は、図３に示した多芯のメタルケーブル２４の接続された多芯コネクタ２３が挿入接続されるアダプタ２２が、固定部材２１に多数個が配列される状態の一部分を示すものであり、例えば通信回線の接続替えなどのように、必要に応じて特定のアダプタ２２に特定の多芯コネクタ２３が接続される。
なお、この実施例では多芯コネクタを用いているが、２芯ケーブルなどのメモリ機能付きコネクタを用いた場合であっても、同様な構成のアンテナを有するアダプタ及び検出スイッチを備えることによって本発明を実現することができる。
また、前述した検出スイッチ１１，２８は、挿入接続されるコネクタによって作動される場合にオン動作すると説明したが、オン動作状態からオフ動作状態にスイッチ動作させて、挿入接続を検出するようにしてもよい。
【００１９】
【発明の効果】
以上詳細に説明したように、本発明によるメモリ機能付きコネクタ用アダプタは、アダプタに非接触のメモリ機能部を有するコネクタを挿入接続する際、当該コネクタによってアダプタ又はアダプタの近傍に設けられた検出スイッチを作動させ、この検出スイッチの作動状態を制御部で検出記憶するようにしているため、アダプタ又はアダプタの近傍に設けられたアンテナにより、当該アンテナの対面する位置にコネクタのメモリ機能部が存在するか否かを検出するよりも極めて速く接続状態を検出することができるものであり、特に、多数のアダプタが配列された場合における挿入接続の有無の確認が極めて迅速に検出することができる。
また、当該アンテナの対面する位置にコネクタのメモリ機能部が存在していても、検出スイッチが未動作である場合は、コネクタが半差し状態であることを検出できるなど、種々の優れた効果を奏するものである。
【図面の簡単な説明】
【図１】本発明の一実施例によるメモリ機能付きコネクタ用アダプタと、このアダプタに挿入される光コネクタなどを示す模式図である。
【図２】本発明による図１に示したメモリ機能付きコネクタ用アダプタを複数配列した状態を示す模式図である。
【図３】本発明の他の実施例によるメモリ機能付きコネクタ用アダプタと、このアダプタに挿入される多芯コネクタを示す模式図である。
【図４】本発明による図３に示したメモリ機能付きコネクタ用アダプタと、このアダプタに挿入される多芯コネクタを複数配列した状態を示す模式図である。
【図５】従来のメモリ機能付きコネクタ用アダプタと、このアダプタに挿入される光コネクタなどを示す模式図である。
【符号の説明】
１，２１  固定部材
２，２２  アダプタ
３  支持部材
４  光コネクタ
５  光ファイバーケーブル
６，２６  メモリ機能部
７，２７  アンテナ
８  制御部
９  計算機
１１，２８  検出スイッチ
１２  検出スイッチの作動杆
１３  コネクタの押圧部
１４  接続架
２３  多芯コネクタ
２４  多芯ケーブル
２５  コンタクト
２９  取付板
３０  コネクタの側面部
３１  検出スイッチのレバー
【図１】
2004165088.tif 000003
【図２】
2004165088.tif 000004
【図３】
2004165088.tif 000005
【図４】
2004165088.tif 000006
【図５】
2004165088.tif 000007
【手続補正書】
【提出日】平成15年6月16日(2003.6.16)
【手続補正１】
【補正対象書類名】明細書
【補正対象項目名】０００３
【補正方法】変更
【補正の内容】
【０００３】
このような光コネクタの製造工程や、取付け配線作業に関する管理は、一般的に計算機などを利用して行われているが、管理情報が文字であった場合、取扱い担当者が認識して計算機に入力処理を行うことから、誤認識や入力間違え等のミスが発生するおそれがある。
また、管理情報がバーコードで記録されている場合、誤認識や入力間違えは格段に少なくなるが、工程の前又は後に必ずその管理情報を読み込む必要があり、仮に読み込みを忘れて工程を行った場合などは、管理が不可能になってしまう。


【手続補正２】
【補正対象書類名】明細書
【補正対象項目名】００１６
【補正方法】変更
【補正の内容】
【００１６】
次に本発明の他の実施例として、メタルケーブルを用いたメモリ機能付きの多芯コネクタが挿入接続されるアダプタを、図３に示した実施例により説明する。
図３（ａ）は固定部材２１に固定されたアダプタ２２に多芯コネクタ２３が挿入接続される前の状態を示す斜視図、図３（ｂ）は図３（ａ）と同様な状態の側面図、図３（ｃ）はアダプタ２２に多芯コネクタ２３が挿入接続された状態の側面図である。なお、多芯コネクタ２３には多芯のメタルケーブル２４が接続され、下面には複数のコンタクト２５が設けられて、アダプタ２２に設けられている一部分が図示されているソケットに接続される。また、アダプタ２２の側面には非接触のメモリ機能部２６が設けられている。


【手続補正３】
【補正対象書類名】明細書
【補正対象項目名】００１７
【補正方法】変更
【補正の内容】
【００１７】
アンテナ２７と検出スイッチ２８が設けられた仮想線で示した取付板２９が固定部材２１に、アダプタ２２側面に近接するように固定されている。なお、アンテナ２７と検出スイッチ２８は、図３には示していないが、図１に示したと同様な制御部やパソコン等に接続されている。
この実施例ではアダプタ２２に多芯コネクタ２３を挿入する際、多芯コネクタ２３の側面部３０により検出スイッチ２８のレバー３１を作動させ、検出スイッチ２８をオン動作させて挿入接続を検出する。即ち、アダプタ２２に多芯コネクタ２３が正しく挿入されたとき、多芯コネクタ２３のメモリ機能部２６が取付板２９に固定されているアンテナ２７に対面するように配置され、かつ検出スイッチ２８がオン状態となる。